(57)【特許請求の範囲】
【請求項１】
画像情報をインターネットを経由する第１の通信経路およびインターネットを経由しない第２の通信経路のいずれかの通信経路を介して受信可能な通信端末装置において、
前記画像情報を前記第１および第２の通信経路のいずれの通信経路を介して受信したかを判定する判定手段と、
この判定手段によって前記画像情報を前記第１の通信経路を介して受信したと判定された場合は、前記画像情報の送信元へ前記画像情報を受信したことを示す返信情報を前記第１の通信経路を介して返信する返信手段と、
が備えられたことを特徴とする通信端末装置。
【請求項２】
前記第１の通信経路と接続された第１の回線と、前記第２の通信経路と接続された第２の回線とが備えられており、
前記判定手段は、
前記画像情報を前記第１の回線を介して受信した場合は、前記画像情報を前記第１の通信経路を介して受信したと判定し、前記画像情報を前記第２の回線を介して受信した場合は、前記画像情報を前記第２の通信経路を介して受信したと判定することを特徴とする請求項１に記載の通信端末装置。
【請求項３】
前記判定手段は、
受信した画像情報の通信プロトコルの種類に基づいて前記画像情報を受信した通信経路を判定することを特徴とする請求項１に記載の通信端末装置。
【請求項４】
画像情報をインターネットを経由する第１の通信経路およびインターネットを経由しない第２の通信経路のいずれかの通信経路を介して受信可能な通信端末装置を制御するコンピュータプログラムが格納された記憶媒体において、
前記画像情報を前記第１および第２の通信経路のいずれの通信経路を介して受信したかを判定するとともに、その判定結果が前記画像情報を前記第１の通信経路を介して受信したという判定結果である場合は、前記画像情報の送信元へ前記画像情報を受信したことを示す返信情報を前記第１の通信経路を介して返信する返信制御プログラムを含むコンピュータプログラムが格納されていることを特徴とする記憶媒体。
【発明の詳細な説明】
【０００１】
【発明の属する技術分野】
本発明は、ファクシミリ装置に代表される通信端末装置であって、画像情報をインターネットまたは公衆交換通信網を介して送受信する通信端末装置、およびその通信端末装置を制御するコンピュータプログラムが格納された記憶媒体に関する。
【０００２】
【従来の技術】
従来、原稿に記録された画像情報を読取り、その読取った画像情報をインターネットを経由しない公衆通信交換網を介して送信する機能と、上記画像情報をインターネットを介して送信する機能とを備えたファクシミリ装置が知られている。
上記画像情報をインターネットを介して送信する手段としては、たとえば、画像情報をファイル化し、そのファイルを電子メールに添付して送信する手段が知られている。
【０００３】
この手段を採用した場合は、以下の手順で画像情報の送信が行われる。
まず、送信側のファクシミリ装置から送信された電子メールは、送信側のファクシミリ装置が接続契約している送信側のＰＯＰＳ（Ｐｏｓｔ  Ｏｆｆｉｃｅ
Ｐｒｏｔｏｃｏｌ  Ｓｅｒｖｅｒ）を介して、送信側のＳＭＴＰ（ＳｉｍｐｌｅＭａｉｌ  Ｔｒａｎｓｆｅｒ  Ｐｒｏｔｏｃｏｌ  Ｓｅｒｖｅｒ）へ送信される。続いて、送信側のＳＭＴＰは、受信した電子メールをインターネットを介して受信側のＳＭＴＰへ送信し、その受信側のＳＭＴＰは、受信側のファクシミリ装置が接続契約しているＰＯＰＳへ送信する。そして、受信側のファクシミリ装置は、受信側のＰＯＰＳへアクセスし、その受信側のＰＯＰＳに格納されている電子メールを読出して受信する。
【０００４】
【発明が解決しようとする課題】
ところで、上記ファクシミリ装置において、ファクシミリデータをインターネットを経由しない公衆通信交換網を介して送信する場合は、送信側のファクシミリ装置および受信側のファクシミリ装置間は、公衆通信交換網によって直接接続されているため、送信側のファクシミリ装置は、画像情報が受信側のファクシミリ装置によって正常に受信されたか否かを検出することができる。
たとえば、受信側のファクシミリ装置が画像情報を正常に受信できなかった場合に、エラーを表示した記録用紙を排出したり、液晶表示部（ＬＣＤ）にエラーメッセージを表示したりする。
したがって、送信側のファクシミリ装置の使用者は、受信側のファクシミリ装置が画像情報を正常に受信できたか否かを知ることができる。
【０００５】
しかし、上記ファクシミリ装置において、画像情報を電子メールを利用して送信する場合は、前述のように、送信側のファクシミリ装置から送信された電子メールは、受信側のＰＯＰＳによって受信され、受信側のファクシミリ装置から受信側のＰＯＰＳへ電子メールを取りに行くことにより、受信側のファクシミリ装置は、電子メールに添付されている画像情報を受信する構成である。
したがって、送信側のファクシミリ装置の使用者は、ファクシミリデータが受信側のファクシミリ装置によって正常に受信されたか否かを知ることができない。
そこで、受信側から送信側へ電話をかけて受信結果を知らせたり、受信側のファクシミリ装置で電子メール送信用のプログラムを立上げ、受信結果を記載した電子メールを送信する手段が考えられる。
しかし、ファクシミリデータを受信するたびに電話をかけたり、わざわざ電子メール送信用のプログラムを立上げて電子メールを送信するのは、手間がかかるという問題がある。
【０００６】
そこで、本発明は、画像情報をインターネットを介して受信した場合に、画像情報を受信したことを送信側へ手間なく知らせることができる通信端末装置および記憶媒体を実現することを目的とする。
【０００７】
【課題を解決するための手段】
本発明は、上記目的を達成するため、
請求項１に記載の発明では、画像情報をインターネットを経由する第１の通信経路およびインターネットを経由しない第２の通信経路のいずれかの通信経路を介して受信可能な通信端末装置において、
前記画像情報を前記第１および第２の通信経路のいずれの通信経路を介して受信したかを判定する判定手段と、
この判定手段によって前記画像情報を前記第１の通信経路を介して受信したと判定された場合は、前記画像情報の送信元へ前記画像情報を受信したことを示す返信情報を前記第１の通信経路を介して返信する返信手段と、
が備えられたという技術的手段を採用する。
【０００８】
請求項２に記載の発明では、請求項１に記載の通信端末装置において、前記第１の通信経路と接続された第１の回線と、前記第２の通信経路と接続された第２の回線とが備えられており、
前記判定手段は、
前記画像情報を前記第１の回線を介して受信した場合は、前記画像情報を前記第１の通信経路を介して受信したと判定し、前記画像情報を前記第２の回線を介して受信した場合は、前記画像情報を前記第２の通信経路を介して受信したと判定するという技術的手段を採用する。
【０００９】
請求項３に記載の発明では、請求項１に記載の通信端末装置において、前記判定手段は、
受信した画像情報の通信プロトコルの種類に基づいて前記画像情報を受信した通信経路を判定するという技術的手段を採用する。
【００１０】
請求項４に記載の発明では、画像情報をインターネットを経由する第１の通信経路およびインターネットを経由しない第２の通信経路のいずれかの通信経路を介して受信可能な通信端末装置を制御するコンピュータプログラムが格納された記憶媒体において、
前記画像情報を前記第１および第２の通信経路のいずれの通信経路を介して受信したかを判定するとともに、その判定結果が前記画像情報を前記第１の通信経路を介して受信したという判定結果である場合は、前記画像情報の送信元へ前記画像情報を受信したことを示す返信情報を前記第１の通信経路を介して返信する返信制御プログラムを含むコンピュータプログラムが格納されている記憶媒体という技術的手段を採用する。
【００１１】
【作用】
請求項１ないし請求項４に記載の発明では、上記判定手段は、画像情報を上記第１および第２の通信経路のいずれの通信経路を介して受信したかを判定し、上記返信手段は、上記判定手段によって画像情報を上記インターネットを経由する第１の通信経路を介して受信したと判定された場合は、画像情報の送信元へ画像情報を受信したことを示す返信情報を上記第１の通信経路を介して返信する。
つまり、画像情報をインターネットを経由する第１の通信経路を介して受信した場合に、その画像情報を受信したことを示す返信情報を送信側へ自動的に送信することができる。
たとえば、後述する発明の実施の形態に記載するように、上記判定手段および返信手段を実行するＣＰＵは、画像情報をインターネットを介して受信したと判定した場合に、画像情報を受信したことを示す返信情報たる電子メールを送信側へ自動的に送信する。
したがって、受信側の者は、画像情報を受信したことを送信側へ手間なく知らせることができる。
【００１２】
特に、請求項２に記載の発明では、上記判定手段は、画像情報を上記第１の通信経路と接続された第１の回線を介して受信した場合は、画像情報を第１の通信経路を介して受信したと判定し、画像情報を上記第２の通信経路と接続された第２の回線を介して受信した場合は、画像情報を第２の通信経路を介して受信したと判定する。
つまり、上記判定手段は、画像情報を第１および第２の通信回線のどちらを介して受信したかによって、画像情報を受信した通信経路を判定することができる。
たとえば、後述する発明の実施の形態に記載するように、本発明の通信端末装置たるファクシミリ装置１０に第１の回線たるインターネット専用回線２６および第２の回線たる公衆回線１を接続した場合、ファクシミリ装置１０に内蔵されたＣＰＵ３０は、どちらの回線を介して画像情報が受信されたかを検出し、その検出結果が、インターネット専用回線２６であった場合は、インターネットを経由する第１の通信経路であると判定し、公衆回線１であった場合は、インターネットを経由しない第２の通信経路であると判定する。
つまり、ＣＰＵ３０は、画像情報を受信した回線を検出するだけの簡単な処理によって通信経路を判定することができる。
【００１３】
また、請求項３に記載の発明では、上記判定手段は、受信した画像情報の通信プロトコルの種類に基づいて画像情報を受信した通信経路を判定する。
つまり、画像情報をインターネットを経由する第１の通信経路で送信する場合と、インターネットを経由しない公衆通信交換網で送信する場合とでは、通信プロトコルの種類が異なるため、そのプロトコルの種類を検出し、その検出結果に基づいて通信経路を判定することができる。
たとえば、後述する発明の実施の形態に記載するように、画像情報をインターネットを経由する第１の通信経路で送信する場合の通信プロトコルは、ＴＣＰ／ＩＰであり、インターネットを経由しない公衆通信交換網で送信する場合の通信プロトコルは、Ｔ３０であるため、受信側のファクシミリ装置１０に内蔵されたＣＰＵ３０は、検出した通信プロトコルがＴＣＰ／ＩＰである場合は、通信経路を第１の通信経路と判定し、Ｔ３０である場合は、第２の通信経路と判定することができる。
つまり、ＣＰＵ３０は、通信プロトコルの種類を検出するだけの簡単な処理によって通信経路を判定することができる。
【００１４】
さらに、前述した本発明の目的は、請求項４に記載の記憶媒体によっても達成することができる。
つまり、請求項４に記載の記憶媒体には、上記画像情報を上記第１および第２の通信経路のいずれの通信経路を介して受信したかを判定するとともに、その判定結果が画像情報を第１の通信経路を介して受信したという判定結果である場合は、画像情報の送信元へ画像情報を受信したことを示す返信情報を第１の通信経路を介して返信する返信制御プログラムを含むコンピュータプログラムが格納されているため、そのコンピュータプログラムを本発明の通信端末装置に内蔵されたＣＰＵに実行させることにより、上記返信情報を第１の通信経路を介して送信側へ自動的に送信することができる。
たとえば、後述する発明の実施の形態に記載するように、ファクシミリ装置１０に内蔵されたＲＯＭ３１に返信制御プログラム３１ｂを記憶させておき、ＣＰＵ３０にその返信制御プログラムを実行させることができる。また、ファクシミリ装置１０にＰＣ（Ｐｅｒｓｏｎａｌ  Ｃｏｍｐｕｔｅｒ）４８を接続し、そのＰＣ４８のドライブによって上記コンピュータプログラムが記憶されたＣＤ−ＲＯＭやＦＤを駆動して上記コンピュータプログラムをＰＣ４８にインストールすることにより、ＰＣ４８に内蔵されたＣＰＵによって上記返信制御プログラムを実行させることができる。
【００１５】
【発明の実施の形態】
以下、本発明の通信端末装置および記憶媒体の一実施形態について図を参照して説明する。
なお、以下の実施形態では、本発明の通信端末装置として、ファクシミリ機能、プリンタ機能、コピー機能、イメージスキャナ機能、ＰＣファクス機能および留守録メモリ機能などの複数の機能を有する、いわゆるマルチファンクションタイプのファクシミリ装置を代表に説明する。
【００１６】
最初に、ファクシミリ装置が接続されている通信回線の構成について、それをブロックで示す図１を参照して説明する。
なお、以下の説明では、本実施形態のファクシミリ装置１０を受信側とし、ファクシミリ装置９を送信側とする。
本実施形態のファクシミリ装置１０は、公衆回線１によって電話交換機２に接続されており、電話交換機２は、ファクシミリ装置１０の使用者（送信側）が契約しているＦＡＸサーバ３およびＰＯＰＳ（Ｐｏｓｔ  Ｏｆｆｉｃｅ  Ｐｒｏｔｏｃｏｌ  Ｓｅｒｖｅｒ）６０に接続されている。ＦＡＸサーバ３およびＰＯＰＳ６０は、送信側が契約しているＳＭＴＰ（Ｓｉｍｐｌｅ  Ｍａｉｌ  Ｔｒａｎｓｆｅｒ  Ｐｒｏｔｏｃｏｌ  Ｓｅｒｖｅｒ）４に接続されており、ＳＭＴＰ４は、インターネットＡを介して、送信側のファクシミリ装置９の使用者（受信側）が契約しているＳＭＴＰ５に接続されている。
なお、公衆回線１としては、公衆電話回線の他に、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）を用いることもできる。
【００１７】
ＳＭＴＰ５は、送信側が契約しているＦＡＸサーバ６およびＰＯＰＳ６１に接続されており、ＦＡＸサーバ６およびＰＯＰＳ６１は、電話交換機７に接続されており、電話交換機７は、電話回線８によって送信側のファクシミリ装置９に接続されている。また、電話交換機２および電話交換機７は、公衆通信交換網Ｂによって接続されている。
なお、本実施形態のファクシミリ装置１０およびファクシミリ装置９は、装置に内蔵されたイメージスキャナ（図３に符号３８で示す）によって読取られた画像情報をインターネットＡ、または、インターネットＡを経由しない公衆通信交換網Ｂを介して送受信する機能を有する。
【００１８】
次に、ファクシミリ装置１０の構成について、その外観を示す図２を参照して説明する。
ファクシミリ装置１０には、箱形状のハウジング２０が備えられており、このハウジング２０の上面前部には操作パネル１１が設けられている。操作パネル１１には、送信先のファクシミリ番号、メールアドレスなどを入力するための「０」〜「９」のテンキー１２、原稿の読取開始などを指示するためのスタートボタン１４、画像情報の送信中止などを指示するためのストップボタン１３、短縮ファクシミリ番号を用いて画像情報を送信するための短縮ダイヤルボタン１５、通常のファクシミリ通信かインターネットファクシミリ通信かを切替えるための切替ボタン１６、テンキー１２を用いて入力された特定情報の登録を決定するための登録ボタン１７などが設けられている。
なお、テンキー１２は、数字以外に文字や記号も入力できるようになっており、ファクシミリ番号、インターネットファクシミリ番号の入力の他に、送信先名およびメールアドレスの入力にも用いられる。
【００１９】
操作パネル１１の後部には、送信先名、ファクシミリ番号、メールアドレス、ファクシミリ装置１０の受信状態、送信状態、受信結果、送信結果、電子メールの内容、装置の動作状態およびファンクションなどを表示する液晶表示部（ＬＣＤ）１８が設けられており、この液晶表示部１８の後部には、送信原稿やコピー原稿をセットする原稿セット部１９が設けられている。この原稿セット部１９にセットされた原稿は、ハウジング２０の内部に設けられた紙送り機構（図示省略）によってハウジング２０の内部へ搬送され、この搬送された原稿の画像情報は、イメージスキャナ（図３に符号３８で示す）によって読み取られる。この読取られた原稿は、操作パネル１１の下方に設けられた原稿排出口２１を介してトレイ２２上に積層可能に排出される。
【００２０】
原稿セット部１９の後部には、受信した電子メール、画像情報、ＰＣ（図３に符号４８で示す）から送信された印刷データを記録するための記録用紙をセットする記録用紙セット部２３が設けられている。この記録用紙セット部２３には、複数枚の記録用紙を積層して収納可能な記録用紙カセット（図示省略）が着脱自在に取り付けられる。この記録用紙カセットに収納された記録用紙は、上記紙送り機構によってハウジング２０の内部へ搬送され、この搬送された記録用紙には、インクジェットプリンタ（図３に符号５０で示す）によって記録が行われる。この記録された記録用紙は、トレイ２２の下方に設けられた記録用紙排出部２４から排出される。
【００２１】
また、ハウジング２０の前面右下にはビデオ信号入力端子２５が設けられており、このビデオ信号入力端子２５に接続されたビデオカメラなどから出力されるビデオ信号は、ファクシミリ装置１０の内部へ取り込まれ、後述するインクジェットプリンタ５０によって印刷される。
なお、図示しないが、ハウジング２０の背面には、公衆回線１（図１、図３）を接続するための通信端子と、ＰＣ４８（図３）と接続するための接続ケーブル４７を接続する端子とが設けられており、左側面には、送信先と通話などを行うための受話器が設けられている。
【００２２】
次に、ファクシミリ装置１０の電気的構成について、それをブロックで示す図３を参照して説明する。
ファクシミリ装置１０には、ファクシミリユニットＦＵおよびプリンタユニットＰＵが備えられており、両ユニットは、インターフェース４１によって相互に接続されている。
ファクシミリユニットＦＵには、画像情報の送受信制御、電子メールの送受信制御、画像情報をインターネットＡを経由して受信した際の電子メールの自動返信制御、イメージスキャナ３８の動作制御などを実行するＣＰＵ３０が備えられている。
【００２３】
ＣＰＵ３０は、ファクシミリ制御回路４０に接続されており、ファクシミリ制御回路４０には、ＲＯＭ３１、ＲＡＭ３２およびＥＥＰＲＯＭ３３が接続されている。ＲＯＭ３１には、ＣＰＵ３０が上記各種制御を実行するための制御プログラム３１ａ、電子メールの自動返信を行うための返信制御プログラム３１ｂなどが記憶されており、ＲＡＭ３２には、ＲＯＭ３１から読出された制御プログラム３１ａ、返信制御プログラム３１ｂ、イメージスキャナ３８により読取られた原稿の画像情報および受信した電子メールなどが一時的に記憶される。
ＥＥＰＲＯＭ３３には、その記憶内容を説明する図４に示すファクシミリ番号テーブル３３ａが書換可能に記憶されている。
【００２４】
ファクシミリ番号テーブル３３ａは、図４に示すように、Ｎｏ．１〜Ｎｏ．１００までの１００個の登録番号のそれぞれに対して、送信先名と、送信先のファクシミリ番号と、送信先のメールアドレスとが記憶可能に構成されている。
また、短縮ダイヤルボタン１５は、ファクシミリ番号テーブル３３ａの登録番号１〜１２と対応しており、それ以外の登録番号は、テンキー１２によって直接登録番号を入力することでＥＥＰＲＯＭ３３より読出可能になっている。
ところで、返信制御プログラム３１ｂを記憶するＲＯＭ３１が、請求項４に記載の記憶媒体に対応する。
【００２５】
また、ファクシミリ制御回路４０には、ＮＣＵ（Ｎｅｔｗｏｒｋ  Ｃｏｎｔｒｏｌ  Ｕｎｉｔ）３４と、モデム３５と、イメージスキャナ３８によってスキャンされた画像情報を圧縮されたデータに変換するために符号化する符号器３６と、受信された画像情報の符号化されたデータを復号化する復号器３７と、原稿がセットされたことを検出する原稿センサ３９とが接続されている。
プリンタユニットＰＵには、インクジェットプリンタ５０を制御するプリンタ制御回路４２が備えられており、このプリンタ制御回路４２には、インクジェットプリンタ５０を制御するプログラムを実行するＣＰＵ４３が接続されている。また、プリンタ制御回路４２には、ＣＰＵ４３により実行されるプログラムなどが記憶されたＲＯＭ４４と、ＣＰＵ４３の実行時に使用されるワークメモリや印刷用データを記憶するプリントメモリなどを有するＲＡＭ４５と、ＰＣ４８が接続されるＰＣ用インターフェース４６と、印刷用の文字などのベクトルフォントが記憶されたキャラクタジェネレータ（ＣＧ）４９とが接続されている。
【００２６】
次に、送信側のファクシミリ装置９から送信された画像情報を受信する場合にＣＰＵ３０によって実行される返信制御処理について、それを示す図６のフローチャートを参照して説明する。
ＣＰＵ３０は、送信側のファクシミリ装置９から送信された画像情報を受信すると（ステップ１０：Ｙｅｓ）、その受信した画像情報をＲＡＭ３２に一時的に格納する（ステップ２０）。続いて、ＣＰＵ３０は、ステップ３０において画像情報の受信を終了したことを検出するまで画像情報の受信および格納を繰り返し、画像情報の受信終了を検出すると（ステップ３０：Ｙｅｓ）、受信した画像情報の通信プロトコルがＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）であるか、もしくは、ＩＴＵ−Ｔによって勧告されているバイナリ伝送制御手順であるＴ．３０であるかを判定する（ステップ４０）。
【００２７】
続いて、ＣＰＵ３０は、通信プロトコルはＴＣＰ／ＩＰであると判定した場合、つまり、受信した画像情報は電子メールに添付されて、送信側のファクシミリ装置９からインターネットＡを経由して送信されたものであると判定した場合は（ステップ４０：ＴＣＰ／ＩＰ）、ＲＯＭ３１に格納されている返信制御プログラム３１ｂを立上げ（ステップ５０）、受信した電子メールにデータとして含まれている送信側のファクシミリ装置９のメールアドレスを検出する（ステップ６０）。続いて、ＣＰＵ３０は、上記立上げた返信制御プログラム３１ｂによって電子メールを作成する（ステップ７０）。このとき、上記検出された送信側のメールアドレスが電子メールの宛先の部分に登録される。また、返信制御プログラム３１ｂによって作成される電子メールの送信内容の部分には、送信側であるファクシミリ装置９からの電子メールを受け取ったことを示す内容の文章が予め登録されている。
【００２８】
そして、ＣＰＵ３０は、ＰＯＰＳ６０（図１）へダイヤリングし、ＰＯＰＳ６０との接続を検出すると、上記作成した電子メールを送信する（ステップ８０）。続いて、ＣＰＵ３０は、電子メールの送信終了を検出すると（ステップ９０：Ｙｅｓ）、回線を切断する（ステップ１００）。
上記ＰＯＰＳ６０へ送信された電子メールは、ＰＯＰＳ６０→ＳＭＴＰ４→インターネットＡ→ＳＭＴＰ５→ＰＯＰＳ６１という通信経路でＰＯＰＳ６１へ返信される。
そして、送信側のファクシミリ装置９からＰＯＰＳ６１へアクセスすることにより、ＰＯＰＳ６１に格納されている電子メールは、送信側のファクシミリ装置９へ送信される。この送信された電子メールの内容は、ファクシミリ装置９によって記録用紙に記録されるか、あるいは、ファクシミリ装置９に備えられたＬＣＤなどの表示装置によって表示される。
【００２９】
つまり、送信側のユーザは、相手側装置からの返信メールの着信により、自分の送信した電子メールが、受信側のファクシミリ装置１０によって受信されたことを知ることができる。
なお、送信側のファクシミリ装置９のＰＯＰＳ６１へのアクセスは、手動で行う他、ポーリング形式で定期的に行うこともできる。
また、ＣＰＵ３０は、上記ステップ４０において、通信プロトコルは、Ｔ．３０であると判定した場合は（ステップ４０：Ｔ．３０）、回線を切断する（ステップ１００）。
つまり、送信側のファクシミリ装置９からインターネットＡを経由しない公衆通信交換網Ｂを介して画像情報が送信された場合は、送信側のファクシミリ装置９に送信結果が表示されるため、電子メールを送信して受信結果を送信側に知らせる必要がないからである。
【００３０】
以上のように、本第１実施形態のファクシミリ装置１０を用いれば、画像情報を受信した場合に通信プロトコルの種類を判定し、その判定結果がＴＣＰ／ＩＰであった場合に、受信したことを示す電子メールを自動的に送信側へ返信することができるため、受信側のユーザが電話で連絡する等の手間を省くことができる。
特に、送信側のファクシミリ装置９から電子メールを受信する機会の多い場合は、返信のための受信側の労力を大きく削減することができる。
【００３１】
次に、本発明の第２実施形態のファクシミリ装置について図５および図７を参照して説明する。
図５（Ａ）、（Ｂ）は、ファクシミリ装置１０および電話交換機２間の接続関係を示す説明図であり、図７は、本第２実施形態のファクシミリ装置に備えられたＣＰＵ３０が実行する返信制御処理を示すフローチャートである。
本第２実施形態のファクシミリ装置は、画像情報を受信した回線の種類を判定し、その判定結果に基づいて電子メールを送信側へ自動的に返信できることを特徴とする。
【００３２】
最初に、図５（Ａ）に示す接続関係について説明する。
ファクシミリ装置１０に内蔵されたＮＣＵ３４には公衆交換通信網Ｂを介して通信を行うための公衆回線１と、インターネットＡを介して通信を行うためのインターネット専用回線２６とが接続されており、両回線は、それぞれ電話交換機２と接続されている。
次に、図５（Ｂ）に示す接続関係について説明する。
ファクシミリ装置１０には、ＬＡＮボード２７が内蔵されており、このＬＡＮボード２７は、ＬＡＮ回線２８を介してＨＵＢ２９に接続されている。また、ＨＵＢ２９は、メールサーバ６２に接続されており、このメールサーバ６２は、電話交換機２と接続されている。メールサーバ６２は、受信した電子メールをＨＵＢ２９を介して目的のファクシミリ装置１０へ配信する。また、メールサーバ６２は、ファクシミリ装置１０から送信された電子メールを目的の送信先へ送信する。図５（Ｂ）に示す接続関係の場合は、ＬＡＮ回線２８がインターネット専用回線の役割を果たす。
【００３３】
次に、ＣＰＵ３０が実行する返信制御処理の内容について図７を参照して説明する。
ＣＰＵ３０は、送信側のファクシミリ装置９から送信された画像情報を受信し（ステップ１０：Ｙｅｓ）、その受信した画像情報をＲＡＭ３２に一時的に格納し（ステップ２０）、画像情報の受信終了を検出すると（ステップ３０：Ｙｅｓ）、画像情報を受信した回線が、公衆回線１であるか、インターネット専用回線２６であるかを判定する（ステップ４０）。ＣＰＵ３０は、図５（Ｂ）に示す接続関係の場合は、画像情報を受信した回線が、公衆回線１であるか、ＬＡＮ回線２８であるかを判定する（ステップ４０）。
【００３４】
続いて、ＣＰＵ３０は、画像情報を受信した回線はインターネット専用回線２６（ＬＡＮ回線２８）であると判定した場合は（ステップ４０：インターネット専用回線）、第１実施形態と同じように、返信プログラム３１ｂを立上げ（ステップ５０）、送信側のメールアドレスを検出し（ステップ６０）、電子メールを作成する（ステップ７０）。その電子メールには、第１実施形態と同じく、送信元のメールアドレスが登録され、また、電子メールを受け取ったことを示す内容の文章が予め登録されている。
【００３５】
そして、ＣＰＵ３０は、上記作成した電子メールをメールサーバ６２へ送信し（ステップ８０）、電子メールの送信終了を検出すると（ステップ９０：Ｙｅｓ）、回線を切断する（ステップ１００）。
上記メールサーバ６２へ送信された電子メールは、メールサーバ６２→電話交換機２→ＳＭＴＰ４→インターネットＡ→ＳＭＴＰ５→ＰＯＰＳ６１という通信経路で返信される。
以上のように、本第２実施形態のファクシミリ装置１０を用いれば、画像情報を受信した回線の種類を判定し、その判定結果がインターネット専用回線であった場合に、受信したことを示す電子メールを自動的に送信側へ返信することができるため、受信側のユーザが電話で連絡する等の手間を省くことができる。
特に、送信側のファクシミリ装置９から電子メールを受信する機会の多い場合は、返信のための受信側の労力を大きく削減することができる。
【００３６】
なお、上記各実施形態では、ファクシミリ装置１０に内蔵されたＣＰＵ３０が返信制御処理を実行する場合を説明したが、ファクシミリ装置１０にＰＣ４８（図３）を接続し、そのＰＣ４８に返信制御処理を実行させることもできる。この場合、返信制御プログラムが記憶されたＣＤ−ＲＯＭやＦＤをＰＣ４８のドライブによって駆動し、返信制御プログラムをＰＣ４８に内蔵されたハードディスクなどにインストールすることにより、ＰＣ４８による返信制御処理を実現することができる。この場合、上記ＣＤ−ＲＯＭ、または、ＦＤが請求項４に記載の記憶媒体に対応する。
また、上記各実施形態における返信制御処理では、電子メールを受信するたびに電子メールを返信する処理を説明したが、受信した電子メールが所定数になったことを検出する検出手段を設定し、その検出手段によって、受信した電子メールが所定数になったことが検出された場合に、それら所定数の電子メールを受信したことを示す電子メールを送信側へ返信する処理にすることもできる。
【００３７】
ところで、ＣＰＵ３０により実行される図６および図７のステップ４０が、請求項１に記載の判定手段として機能し、ステップ５０〜ステップ８０が、返信手段として機能する。また、図７のステップ４０が請求項２に記載の判定手段として機能し、図６のステップ４０が請求項３に記載の判定手段として機能する。
【００３８】
【発明の効果】
以上のように、請求項１ないし請求項４に記載の発明によれば、画像情報を受信した通信経路を判定する判定手段と、その判定手段がインターネットを経由する通信経路であると判定した場合に、画像情報を受信したことを示す返信情報を送信側へ自動的に送信する返信手段とを備えているため、受信側のユーザは、画像情報を受信したことを送信側へ手間なく知らせることができる。
また、送信側にとっても、自分が送信した画像情報が受信側で受信されたか否かの確認を返信情報の着信に基づいて行うことができるため、受信側に電話連絡等を強いることなく画像情報のやりとりができ、有益である。
【００３９】
特に、請求項２に記載の発明によれば、上記判定手段は、第１および第２の回線のどちらの回線を介して画像情報を受信したかに基づいて通信経路を判定することができる。
したがって、ＣＰＵは、画像情報を受信した回線を検出するだけの簡単な処理によって通信経路を判定することができる。
【００４０】
また、請求項３に記載の発明によれば、上記判定手段は、受信した画像情報の通信プロトコルの種類に基づいて画像情報を受信した通信経路を判定することができる。
したがって、ＣＰＵは、通信プロトコルの種類を検出するだけの簡単な処理によって通信経路を判定することができる。
【００４１】
さらに、請求項１ないし請求項３に記載の発明の効果は、請求項４に記載の発明によっても奏することができる。
つまり、請求項４に記載の記憶媒体には、上記判定手段および返信手段をＣＰＵに実行させるための返信制御プログラムを含むコンピュータプログラムが格納されているため、そのコンピュータプログラムを本発明の通信端末装置に備えられたＣＰＵに実行させることにより、上記判定手段および返信手段が機能する。
【図面の簡単な説明】
【図１】本発明実施形態のファクシミリ装置が接続されている通信回線の構成をブロックで示す説明図である。
【図２】本発明実施形態のファクシミリ装置の外観を示す説明図である。
【図３】図２に示すファクシミリ装置１０の電気的構成をブロックで示す説明図である。
【図４】ファクシミリ番号テーブルの説明図である。
【図５】図５（Ａ）および図５（Ｂ）は、図２に示すファクシミリ装置１０および電話交換機２間の接続関係を示す説明図である。
【図６】本発明第１実施形態のファクシミリ装置１０に備えられたＣＰＵ３０が実行する返信制御処理を示すフローチャートである。
【図７】本発明第２実施形態のファクシミリ装置１０に備えられたＣＰＵ３０が実行する返信制御処理を示すフローチャートである。
【符号の説明】
１，８    公衆回線
２，７    電話交換機
４，５    ＳＭＴＰ
９，１０  ファクシミリ装置
３０        ＣＰＵ
３１        ＲＯＭ
３１ｂ      返信制御プログラム
６０，６１  ＰＯＰＳ
Ａ    インターネット
Ｂ    公衆交換通信網
【図１】
0003612997.tif 000002
【図２】
0003612997.tif 000003
【図３】
0003612997.tif 000004
【図４】
0003612997.tif 000005
【図５】
0003612997.tif 000006
【図６】
0003612997.tif 000007
【図７】
0003612997.tif 000008